(57)【要約】【課題】ＰＯＰ表示などの表示物を簡単に取り替え可能であって、かつ見栄えがよく意匠性も好適な陳列具を提供すること。【解決手段】挿入部３１１の先端部とマグネット２７０とが挿入孔４２の底部において磁着し、挿入部３１１は四角形状に形成されるとともに挿入孔４２はこれに対応する四角形状に形成されてなり、保持対象物は挿入部３１１が挿入孔４２に挿入されることによりその向きが規制されることを特徴とする取付台２０と、取付台２０を取り付ける設置台２００と、からなり、マグネット２７０は、設置台２００に取り付けられるネオジウム磁石からなり、マグネット２７０により、設置場所に磁着可能である。【選択図】図１０
2012223553.tif 000002
【特許請求の範囲】
【請求項１】
マグネットに磁着可能な棒部を有する保持対象物を磁着可能なマグネット保持具であって、ベースと、前記ベースに設けられるとともに、前記棒部を挿入することにより前記保持対象物を軸支可能な挿入孔と、前記挿入孔の底部側に設けられたマグネットと、を有し、前記棒部を前記挿入孔に挿入すると、前記棒部の先端部と前記マグネットとが前記挿入孔の底部において磁着し、前記棒部は多角形状に形成されるとともに前記挿入孔はこれに対応する多角形状に形成されてなり、前記保持対象物は前記棒部が前記挿入孔に挿入されることによりその向きが規制されることを特徴とするマグネット保持具と、
前記マグネット保持具を取り付ける設置台と、からなり、
前記マグネットは、前記設置台に取り付けられるネオジウム磁石からなり、前記マグネットにより、設置場所に磁着可能であること
を特徹とする陳列具。
【発明の詳細な説明】
【技術分野】
【０００１】
本発明は、例えば、デパートやスーパーマーケットあるいはコンビニエンスストア等の店舗の商品売場において、商品の案内パネルやプライスカード等のＰＯＰ表示を行う際に使用される陳列具に関する。
【背景技術】
【０００２】
従来、例えば、商品の案内や値段等のＰＯＰ表示を行う場合には、特許文献１のような表示用クリップが用いられていた。すなわち、ＰＯＰ表示を行う表示板(この特許文献１の表示用クリップでは小型の広告旗)がクリップに取り付けられており、このクリップでハンガーパイプのパイプを挟むことにより表示板を設置していた。
【０００３】
しかしながら、この表示用クリップでＰＯＰ表示を行なうものは小型の広告旗と固定されており、それ以外のものをＰＯＰ表示に用いることができない。仮にこの表示用クリップでＰＯＰ表示を変える場合には、広告旗部分を取り替えるか、表示杵ごと取り替えるか、あるいは別の表示用クリップを使用するしかなく、汎用性に欠ける。また、この表示用クリップは、表示杵部分が表示杵挿通孔に挿入されてクリップに取り付けられているが、表示杵挿通孔に挿入後も傾斜挿通溝から表示杵部分が表出しており、見栄えが悪く意匠性も悪い。
【先行技術文献】
【特許文献】
【０００４】
【特許文献１】実公平７−１６７３号公報
【発明の概要】
【発明が解決しようとする課題】
【０００５】
本発明は、上述した事情に鑑みてなされたものであり、その日的は、ＰＯＰ表示などの表示物を簡単に取り替え可能であって、かつ見栄えがよく意匠性も好適な陳列具を提供することにある。
【課題を解決するための手段】
【０００６】
前記目的を達成するために、本発明の陳列具は、マグネットに磁着可能な棒部を有する保持対象物を磁着可能なマグネット保持具であって、ベースと、前記ベースに設けられるとともに、前記棒部を挿入することにより前記保持対象物を軸支可能な挿入孔と、前記挿入孔の底部側に設けられたマグネットと、を有し、前記棒部を前記挿入孔に挿入すると、前記棒部の先端部と前記マグネットとが前記挿入孔の底部において磁着し、前記棒部は多角形状に形成されるとともに前記挿入孔はこれに対応する多角形状に形成されてなり、前記保持対象物は前記棒部が前記挿入孔に挿入されることによりその向きが規制されることを特徴とするマグネット保持具と、前記マグネット保持具を取り付ける設置台と、からなり、前記マグネットは、前記設置台に取り付けられるネオジウム磁石からなり、前記マグネットにより、設置場所に磁着可能であることを特徹とする。
【発明の効果】
【０００７】
本発明においては、マグネットに磁着可能な棒部を有する保持対象物を磁着可能なマグネット保持具であって、ベースと、前記ベースに設けられるとともに、前記棒部を挿入することにより前記保持対象物を軸支可能な挿入孔と、前記棒部の先端部と前記マグネットとが前記挿入孔の底部において磁着し、前記棒部は多角形状に形成されるとともに前記挿入孔はこれに対応する多角形状に形成されてなり、前記保持対象物は前記棒部が前記挿入孔に挿入されることによりその向きが規制されることを特徴とするマグネット保持具を採用した。これにより、ＰＯＰ表示などの表示物を簡単に取り替え可能であって、かつ見栄えがよく意匠性も好適といった効果を奏する。
【図面の簡単な説明】
【０００８】
【図１】ＰＯＰホルダの斜視図。
【図２】Ｆ型ＰＯＰ本体の図であり、（ａ）は正面図、（ｂ）は上面図、（ｃ）は底面図。
【図３】Ｆ型ＰＯＰ本体の図であり、（ａ）は斜視図、（ｂ）は背面図、（ｃ）は正面図。
【図４】図２（ｂ）に示すＦ型ＰＯＰ本体の断面図であり、（ａ）はＡ−Ａ´断面図、（ｂ）はＢ−Ｂ´断面図。
【図５】図２（ａ）の組立て斜視図。
【図６】ＰＯＰ取付ベースを示す図であり、（ａ）は上面図、（ｂ）は正面図、（ｃ）は側面図。
【図７】板バネ部を示す図であり、（ａ）は底面図、（ｂ）は正面図、（ｃ）は側面図。
【図８】アタッチメントの組立て斜視図。
【図９】ＰＯＰホルダの使用状態を示す図。
【図１０】本発明の実施形態による陳列具の組立て斜視図。
【図１１】図１０に示されたＰＯＰ取付ベースの図であり、（ａ）は斜視図、（ｂ）は側面図。
【発明を実施するための形態】
【０００９】
以下、本発明の一実施形態について図１〜図１１を参照して説明する。なお、本発明は特許請求の範囲の請求項１に係る発明のことを意味するが、以下の説明においては本発明の実施形態のみではなく、本発明を説明するためにその他の形態についても参考的に開示する。
【００１０】
図１はＰＯＰホルダの斜視図、図２はＦ型ＰＯＰ本体の図であり、（ａ）は正面図、（ｂ）は上面図、（ｃ）は底面図、図３はＦ型ＰＯＰ本体の図であり、（ａ）は斜視図、（ｂ）は背面図、（ｃ）は正面図、図４は図２（ｂ）に示すＦ型ＰＯＰ本体の断面図であり、（ａ）はＡ−Ａ´断面図、（ｂ）はＢ−Ｂ´断面図、図５は図２（ａ）の組立て斜視図、図６はＰＯＰ取付ベースを示す図であり、（ａ）は上面図、（ｂ）は正面図、（ｃ）は側面図、図７は板バネ部を示す図であり、（ａ）は底面図、（ｂ）は正面図、（ｃ）は側面図、図８はアタッチメントの組立て斜視図、図９はＰＯＰホルダの使用状態を示す図である。
【００１１】
ＰＯＰホルダ１は、Ｆ型挟持具２（マグネット付き挟持具）とこれに取り付けられるアタッチメント３からなる。
【００１２】
Ｆ型挟持具２は、本体２１、スライドアーム２２、回転軸２３（棒ネジ）及び本体２１に一体的に成形された保持体４（マグネット保持具）からなる。
【００１３】
本体２１は、亜鉛合金製で、直線部２１Ａとこれに一体的に連接する円弧状のアーチ部２１Ｂからなる。
【００１４】
直線部２１Ａには、スライドアーム２２の雌ネジ部２２３を移動可能に収容するスライド溝２１１と、スライドアーム２２の首部２２２が移動可能に挿入されるスリット２１２と、回転軸２３の抜け止めの固定ピン２４を取り付けるための固定ピン挿入孔２１３が設けられている。スライド溝２１１の延長線上には円柱状の凹部であって、回転軸２３の先端部２３６を挿入する凹部２１４が設けられている。この凹部２１４に先端部２３６を挿入することにより、回転軸２３を操作する際のぐらつきが抑えられる。
【００１５】
アーチ部２１Ｂには、シリコンパッド２５Ａを取り付けるためのネジ穴２１６、２１６（図４（ａ）参照）、ネオジウム磁石２７を挿入するための円柱状の凹部２１５が設けられている。なお、この凹部２１５は天井部分（図４中上側）においてフランジ２１７を介して挿入孔４２に連通している。このフランジ２１７は、凹部２１５に挿入されたネオジウム磁石２７が挿入孔４２から脱落するのを防止する。
【００１６】
スライドアーム２２は、移動させることによりパイプなどの被挟持物を挟持する挟持部２２１と、首部２２２を介して一体的に連接された雌ネジ部２２３からなる。挟持部２２１には、シリコンパッド２５Ｂを嵌め込むための凹部２２４と、雄ネジ２８、２８をネジ止めするためのネジ穴２２５、２２５が設けられている。雌ネジ部２２３には、回転軸２３の雄ネジ部２３２をネジ込むためのネジ孔２２６が設けられている。
【００１７】
回転軸２３は、つまみ部２３１と、雄ネジ部２３２と、つまみ部２３１と雄ネジ部２３２との間に形成された２つの大径部２３３、２３４からなる。大径部２３３と大径部２３４との間にはくびれ部２３５が設けられている。雄ネジ部２３２の先端にはネジ山が形成されていない先端部２３６が設けられている。
【００１８】
シリコンパッド２５Ａは、シリコン素材からなり側面視円弧状に形成されているとともに、両端側には雄ネジ２６、２６を挿入するための挿通孔２５３、２５３が設けられている。シリコンパッド２５Ｂは、シリコン素材からなる平板状の部材であり、両端側には雄ネジ２８、２８を挿入するための挿通孔が設けられている。
【００１９】
保持体４は、側面視台形状のベース４１と、ベース４１の頂部に設けられた挿入孔４２と、アーチ部２１Ｂの凹部２１５に挿入されたネオジウム磁石２７からなる。挿入孔４２は、ジョイントバー３１の棒部３１１の断面形状に対応して正方形状の孔に形成されている。このように挿入孔４２を円形状ではなく正方形状に形成すると、アタッチメント３の向きをしっかりと規制することができる。ただし、この挿入穴４２の形状はこれに限定されず、円形、その他の多角形などであってもよい。なお、図では、保持体４はＦ型挟持具２と一体成形されてなるため、Ｆ型挟持具２の一部分となっている。
【００２０】
次に、このように各部品が構成されたＦ型挟持具２の組立て構造について図５を参照しながら説明する。
【００２１】
まず、アーチ部２１Ｂの凹部２１５にネオジウム磁石２７を挿入した後、シリコンパッド２５Ａをアーチ部２１Ｂの下側から当てがい、この状態で、ネジ穴２１６、２１６に雄ネジ２６、２６を螺合する。これにより、ネオジウム磁石２７が挿入孔４２の下側に配置され、ネオジウム磁石２７の上面側が挿入孔４２の底部分となる。
【００２２】
次に、スライドアーム２２の凹部２２４にシリコンパッド２５Ｂを嵌め込み、挿通孔２５１、２５１とネジ穴２２５、２２５とを連通させた状態で、雄ネジ２８、２８をネジ穴２２５、２２５に螺合する。
【００２３】
次に、スライドアーム２２の雌ネジ部２２３をスライド溝２１１に挿入し、この状態で回転軸２３をネジ孔２２６に螺合させ、先端部２３６を凸部２１４に挿入させた状態で、固定ピン２４を固定ピン挿入孔２１３に挿入する。挿入された固定ピン２４は、大径部２３３、２３４の間に図４のように配置される。このように構成したことにより、固定ピン２４が回転軸２３の脱落防止手段となる。
【００２４】
このようにして組み立てられたＦ型挟持具２は、パイプなどの被挟持物を把持する場合、図４（ａ）に記載のように、つまみ部２３１を軸回転させれば、スライドアーム２２がその回転方向に基づいて昇降する。図では、つまみ部２３１を図４（ａ）中、右向きに回転させるとスライドアーム２２は上昇し、逆に左向きに回転させるとスライドアーム２２は下降する。図においては、スライドアーム２２が水平状に形成され、一方、アーチ部２１Ｂが円弧状に形成されているため、例えば、角パイプであっても丸パイプであっても把持することが可能である。
【００２５】
次に、アタッチメント３の構成について図６〜図８を参照して説明する。図６は、ＰＯＰ取付ベースを示す図であり、（ａ）は上面図、（ｂ）は正面図、（ｃ）は側面図、図７は、板バネ部を示す図であり、（a）は底面図、（ｂ）は正面図、（ｃ）は側面図、図８は、アタッチメントの組立て斜視図である。
【００２６】
アタッチメント３は、ジョイントバー３１と、ＰＯＰ取付ベース３２と、ＰＯＰ取付ベ
ースに付勢して取り付けられる板バネ部３３からなる。
【００２７】
ジョイントバー３１は、一端側が水平断面正方形状の挿入部３１１（棒部）と、この挿入部３１１と段差を有して一体的に形成される円柱状の延長部３１２と、他端に形成された雌ネジ部３１３からなる。図においては、ジョイントバー３１は全体がスチール製で構成されている。ただし、挿入部３１１がネオジウム磁石と磁着可能な素材でさえあれば全体をジョイントバー３１全体をスチール製に構成することはない。
【００２８】
ＰＯＰ取付ベース３２は、全体を側面視Ｕ字形状の横長状の部材であり、板バネ部３３をネジ止めするためのネジ穴３２１、３２１が両端に形成され、そのネジ穴３２１、３２１の中間部分には雌ネジ部３１３と螺合する取付ネジ３５を挿入するための挿通孔３２２が設けられている。
【００２９】
板バネ部３３は、全体を側面視Ｌ字状のＬ宇部３３１と、板バネを折り曲げることによりＬ宇部３３１に一体的に連接して形成された傾斜部３３２からなる。Ｌ宇部３３１の底面両端には超低頭ネジ３４、３４が挿入される挿入孔３３３、３３３が設けられている。
【００３０】
次に、このように各部品が構成されたアタッチメント３の組立て構造について図８を参照しながら説明する。
【００３１】
ＰＯＰ取付ベース３２を介して取付ネジ３５を雌ネジ部３１３に螺合する。
【００３２】
次に、ＰＯＰ取付ベース３２の側面から、取付溝３２３に板バネ３３を挿入する。この際、傾斜部３３２を内側に指で撓ませて規制しながら取付溝３３に挿入し、所定の位置まで板バネ３を挿入したら規制を解除する。すると、板バネ３３の傾斜部３３２は、取付溝３２３の一側の内壁面に付勢された状態となる。これにより、この傾斜部３３２により付勢された内壁面と、傾斜部３３２との間に挟持力が生まれ、ＰＯＰカードなどを把持する
ことができる。
【００３３】
以上のように構成されたＦ型挟持具２の挿入孔４２に、アタッチメント３の挿入部３１１を挿入すると、挿入部３１１の底部側がネオジウム磁石２７と磁着する。これにより、アタッチメント３が挿入孔４２から脱落しにくくなる。
【００３４】
このように構成されたＦ型挟持具２にアタッチメント３を取り付けたＰＯＰホルダ１を、衣服ハンガーのパイプに設置した状態を示したのが図９に示す斜視図である。図では、ＰＯＰ取付ベース３２に商品の値段や説明を記載したＰＯＰカードが取り付けられている。なお、図においては、パイプに取り付ける例を示したが、これに限定されるものではない。例えば、全体が逆さまになるような使用態様であっても、ＰＯＰホルダ１は使用可能である。アタッチメント３とＦ型挟持具２が磁着しているからである。また、アタッチメント３は、ＰＯＰ表示に限定されない。例えば、挿入部３１１に相当する構成さえあれば、挿入部３１１より上方のものはなんでもよい。
【００３５】
次いで、本発明の陳列具の一実施形態について図１０及び図１１を参照して説明する。
【００３６】
図１０は、本発明の実施形態による陳列具の組立て斜視図、図１１は、図１０に示されたＰＯＰ取付ベースの図であり、（a）は斜視図、（ｂ）は側面図である。
【００３７】
本発明の陳列具１０は、上述したＰＯＰホルダ１の変形例であり、Ｆ型挟持具２の代わりに設置台２００が用いられている。Ｆ型挟具２は、パイプ等を挟持することにより、ＰＯＰ表示を行なっていたが、本発明の陳列具１０は、ネオジウム磁石２７０の磁力により、設置場所と磁着して設置するように構成されている。
【００３８】
本発明の陳列具１０は、取付台２０と、取付台２０に取り付けられるアタッチメント３０からなる。
【００３９】
取付台２０は、ベース４１０、設置台２００、ネオジウム磁石２７０及びシリコン２５０からなる。
【００４０】
ベース４１０は側面視台形状に形成されており、頂部側には正方形状の開口部である挿入孔４２が形成され、底部側には挿入孔４２に挿通する雌ネジ孔４３が設けられている。
【００４１】
設置台２００は、天板部２０１と、これに連接して折り曲げ形成された脚部２０２、２０２と、この脚部２０２、２０２より鉛直方向の長さが短く折り曲げ形成されたガード部２０３、２０３（図１０では後方のガード部は隠れて見えない）からなる。天板部２０１の中央部には雄ネジ２６０を挿入する挿通孔２０４が設けられている。
【００４２】
ネオジウム磁石２７０は、平板状に形成されており、中央部には挿通孔２７１が設けられている。
【００４３】
シリコン２５０は、蓋なし箱状に形成されており、中央部には雄ネジ２６０を挿入するための挿通孔２５４が設けられている。
【００４４】
次に、このように各部品が構成された取付台２０の組立て構造について図１０を参照しながら説明する。
【００４５】
ベース４１０の雌ネジ孔４３と挿通孔２０４を合わせ、続いて、設置台２００の下方側にネオジウム磁石２７０を配置し、更にその下側にシリコン２５０を配置し、シリコン２５０の凹部２５３にネオジウム磁石２７０を嵌め込む。この状態で、下方から、雄ネジ２６０を、挿通孔２５４、挿通孔２７１、挿通孔２０４に挿入して、雌ネジ孔４３に螺合させる。
【００４６】
次に、アタッチメント３０の構成について図１０及び図１１を参照して説明する。
【００４７】
アタッチメント３０は、ジョイントバー３１と、ＰＯＰ取付ベース３２０からなる。ジョイントバー３１は、上述したＰＯＰホルダ１に用いられているジョイントバー３１と同様の構成であるので詳細な説明は省略する。
【００４８】
ＰＯＰ取付ベース３２０は、図１１に示すとおり、板バネを折り曲げて両端部を中央で合わせた構造であり、この合わせた両端部である合わせ部３２４はお互いが付勢された状態である。ＰＯＰ取付ベース３２０の底面には、雌ネジ部３１３と螺合するための取付ネジ３５０が溶接等により予め取り付けられている。
【００４９】
このＰＯＰ取付ベース３２０の取付ネジ３５０を雌ネジ部３１３に螺合するとアタッチメント３０となる。
【００５０】
以上のように構成された取付台２０の挿入孔４２に、挿入部３１１を挿入すると、本発明の陳列具１０となる。ＰＯＰ表示を行なう場合には、ＰＯＰカードなどを合わせ部３２４に挿入すれば、板バネの弾性力によりＰＯＰカードは把持される。
【００５１】
この陳列具１０をスチール棚や、パイプなどの磁着できる場所に設置すると、両脚部２０２、２０２が設置場所に載置すると、ネオジウム磁石２７０の強い磁力により、設置場所にしっかりと磁着する。
【符号の説明】
【００５２】
１        ＰＯＰホルダ（カードホルダ）
１０      陳列具
２        Ｆ型挟持具（マグネット付き挟持具）
２０      取付台（マグネット保持具）
２００    設置台
２１      本体
２１Ａ    直線部
２１Ｂ    アーチ部
２１１    スライド溝
２１２    スリット
２２      スライドアーム
２２１    挟持部
２２３    雌ネジ部
２３      回転軸（棒ネジ）
２３１    つまみ部
２５Ａ、２５Ｂ    シリコンパッド
２５０    シリコン
２７、２７０      ネオジウム磁石（マグネット）
３、３０  アタッチメント
３１      ジョイントバー
３１１    挿入部（棒部）
３２、３２０      ＰＯＰ取付ベース
３３      板バネ部
４        保持体（マグネット保持具）
４１、４１０      ベース
４２      挿入孔
【図１】
2012223553.tif 000003
【図２】
2012223553.tif 000004
【図３】
2012223553.tif 000005
【図４】
2012223553.tif 000006
【図５】
2012223553.tif 000007
【図６】
2012223553.tif 000008
【図７】
2012223553.tif 000009
【図８】
2012223553.tif 000010
【図９】
2012223553.tif 000011
【図１０】
2012223553.tif 000012
【図１１】
2012223553.tif 000013